(57)【要約】【課題】長い記録済媒体と短い記録済媒体の両方を好適にスタック可能な記録装置を提供する。【解決手段】記録装置１は、被記録媒体Ｒ３に記録を行う記録部１２と、記録済の被記録媒体Ｒ３である記録済媒体Ｒ４を排出する排出部１７と、排出された記録済媒体Ｒ４を受ける媒体受け部（５０）と、を備える。媒体受け部（５０）は、排出された記録済媒体Ｒ４の先端部Ｒ５を排出部１７の下側で記録済媒体Ｒ４の排出方向Ｄ４とは反対側（近接方向Ｄ３側）へ案内する案内面５７を有し、該案内面５７を排出部１７に対して離間可能に構成されている。【選択図】図１
2014189344.tif 000002
【特許請求の範囲】
【請求項１】
被記録媒体に記録を行う記録部と、
記録済の前記被記録媒体である記録済媒体を排出する排出部と、
排出された前記記録済媒体を受ける媒体受け部と、を備え、
該媒体受け部は、前記排出された記録済媒体の先端部を前記排出部の下側で前記記録済媒体の排出方向とは反対側へ案内する案内面を有し、該案内面を前記排出部に対して離間可能に構成されている、記録装置。
【請求項２】
前記排出部が設けられた筐体と、
該筐体を支持する脚部と、を備え、
前記媒体受け部は、前記脚部に対して前記記録済媒体の排出側、及び、その反対側へスライド可能に設けられている、請求項１に記載の記録装置。
【請求項３】
前記媒体受け部のスライド方向に向いたレールが前記脚部に設けられ、
前記媒体受け部は、前記レールに対してスライド可能に取り付けられている、請求項２に記載の記録装置。
【請求項４】
前記媒体受け部は、前記記録済媒体の排出側、及び、その反対側へスライド可能に設けられた枠部を有し、
前記案内面は、前記枠部に取り付けられ前記排出部の下側に弛み部が形成されるシート部材で構成されている、請求項１〜請求項３のいずれか一項に記載の記録装置。
【請求項５】
前記媒体受け部は、前記脚部への取り付け位置を中心軸として回動可能であり、自らのスライド方向に沿った向きで前記筐体の下方に移動可能である、請求項２又は請求項３に記載の記録装置。
【請求項６】
前記記録部に搬送される前記被記録媒体を支持する媒体支持部を前記筐体の下部に備え、
前記媒体支持部よりも前記記録済媒体の排出側にある前記媒体受け部が回動して自らのスライド方向に沿った向きで前記筐体の下方に移動可能である、請求項５に記載の記録装置。
【発明の詳細な説明】
【技術分野】
【０００１】
本発明は、記録装置に関する。
【背景技術】
【０００２】
大型のインクジェットプリンター等の記録装置には、ロール紙（被記録媒体）から繰り出した記録紙を印刷し切断して排出口から排出し、該記録紙を排出口下方の紙受け内に落下させるものがある。特許文献１に記載の記録済記録媒体受けは、記録装置の脚部から引き出し可能な支持部材にシート状部材の一端部が支持され、脚部のフックにシート状部材の他端部が支持されている。これにより、シート状部材は、側面視略Ｕ字状の弛みが形成される。
【先行技術文献】
【特許文献】
【０００３】
【特許文献１】特開平７−６１６８１号公報
【発明の概要】
【発明が解決しようとする課題】
【０００４】
一般的に、ロール紙は巻き癖が付いている。上記記録済記録媒体受けは、記録済記録媒体を落下させ、シート状部材のＵ字の曲面と記録済記録媒体の巻き癖の向きを揃えた状態で記録済記録媒体をスタックすることを前提としている。しかし、排出される記録済記録媒体には、長い紙もあれば短い紙もある。短い記録済記録媒体の場合、巻き癖のため丸まり易い。このため、記録済記録媒体が丸まった状態でスタックされる等、所望の形態で記録済記録媒体をスタックできない虞がある。
上記の問題は、インクジェットプリンターに限らず、種々の記録装置に同様に存在する。
【０００５】
以上を鑑み、本発明の目的の一つは、長い記録済媒体と短い記録済媒体の両方を好適にスタック可能な記録装置を提供することにある。
【課題を解決するための手段】
【０００６】
本発明の態様の一つとして、本発明の記録装置は、被記録媒体に記録を行う記録部と、
記録済の前記被記録媒体である記録済媒体を排出する排出部と、
排出された前記記録済媒体を受ける媒体受け部と、を備え、
該媒体受け部は、前記排出された記録済媒体の先端部を前記排出部の下側で前記記録済媒体の排出方向とは反対側へ案内する案内面を有し、該案内面を前記排出部に対して離間可能に構成されている、態様を有する。
【０００７】
すなわち、排出された記録済媒体の先端部が排出部の下側で案内面により記録済媒体の排出方向とは反対側へ案内されるので、記録済媒体が複数排出されるときに記録済媒体の先端部が揃えられて好適にスタックされる。また、排出される記録済媒体が長い場合、案内面を排出部に対して離間させることにより、長い記録済媒体が好適にスタックされる。従って、上記態様は、長い記録済媒体と短い記録済媒体の両方を好適にスタック可能な記録装置を提供することができる。
【０００８】
ここで、上記記録装置には、インクジェットプリンター、ワイヤドットプリンター、レーザープリンター、ラインプリンター、複写機、ファクシミリ、等が含まれる。
排出部の下側は、鉛直方向の下に限定されず、鉛直方向の下からずれてもよい。
【０００９】
ところで、前記記録装置は、前記排出部が設けられた筐体と、該筐体を支持する脚部と、を備えてもよい。この場合、前記媒体受け部は、前記脚部に対して前記記録済媒体の排出側、及び、その反対側へスライド可能に設けられてもよい。この態様は、脚部に対する媒体受け部のスライド移動に従って案内面がスライド移動するので、排出部下側で案内面をスライド移動させる好適な例を提供することができる。
【００１０】
前記媒体受け部のスライド方向に向いたレールが前記脚部に設けられ、前記媒体受け部が前記レールに対してスライド可能に取り付けられてもよい。この態様は、レールという簡便な構成で案内面をスライド移動させることができる。
【００１１】
前記媒体受け部は、前記記録済媒体の排出側、及び、その反対側へスライド可能に設けられた枠部を有してもよい。前記案内面は、前記枠部に取り付けられ前記排出部の下側に弛み部が形成されるシート部材で構成されてもよい。この態様は、枠部のスライド移動に従ってシート部材の弛み部がスライド移動するので、弛み部の形状を維持したままスライド移動可能な利便性の良い記録装置を提供することができる。
【００１２】
前記媒体受け部は、前記脚部への取り付け位置を中心軸として回動可能でもよく、自らのスライド方向に沿った向きで前記筐体の下方に移動可能でもよい。この態様は、媒体受け部を自らのスライド方向に沿った向きに回動させて筐体の下方に移動させることができるので、媒体受け部を使用しないときにコンパクトに収納可能な記録装置を提供することができる。
【００１３】
前記記録装置は、前記記録部に搬送される前記被記録媒体を支持する媒体支持部を前記筐体の下部に備えてもよい。前記媒体支持部よりも前記記録済媒体の排出側にある前記媒体受け部は、回動して自らのスライド方向に沿った向きで前記筐体の下方に移動可能でもよい。この態様は、媒体支持部よりも記録済媒体の排出側にある媒体受け部を筐体の下方に収納することができるので、媒体受け部に支持される被記録媒体へのアクセスが良く、大量記録が可能になる。
【図面の簡単な説明】
【００１４】
【図１】スタッカー（媒体受け部）５０のスライド位置を変えて記録済媒体Ｒ４をスタックする様子を模式的に例示する側面図。
【図２】記録装置１の外観を例示する斜視図。
【図３】記録装置１の内部を例示する縦断面図。
【図４】記録装置１の要部を例示する斜視図。
【図５】スタッカー５０及びレール４５を例示する背面図。
【図６】（ａ）はスタッカー５０を収納した様子を例示する側面図、（ｂ）はスタッカー５０で給紙ユニット（媒体支持部）３０の引出側を塞いだ様子を例示する側面図。
【図７】（ａ），（ｂ）は比較例において記録済媒体をスタックする様子を模式的に例示する側面図。
【発明を実施するための形態】
【００１５】
以下、本発明の実施形態を説明する。むろん、以下の実施形態は本発明を例示するものに過ぎず、実施形態に示す特徴の全てが発明の解決手段に必須になるとは限らない。
【００１６】
図１は記録済媒体Ｒ４をスタックする様子を模式的に例示する側面図であり、上段は排出部１７からの離間方向Ｄ２側にスタッカー（媒体受け部）５０をスライドさせた様子を示し、下段は排出部１７への近接方向Ｄ３側にスタッカー５０をスライドさせた様子を示している。図２は、記録装置１の例として大型のインクジェットプリンターの外観を示す斜視図である。図３は、給紙ユニット（媒体支持部）３０を含む筐体１０を断面視して記録装置１の内部を例示する縦断面図である。図４は、脚部４０及びスタッカー５０並びにその周辺を例示する斜視図である。図５はスタッカー５０及びレール４５を例示する背面図であり、下段にレール４５を拡大して示している。図６（ａ），（ｂ）はスタッカー５０の非使用時の様子を例示する側面図である。
【００１７】
上述した図中、符号Ｄ１は、脚部４０に対するスタッカー５０のスライド方向を示している。符号Ｄ２は、スライド方向一方側である離間方向を示している。この離間方向Ｄ２は、排出部１７に対するスタッカー５０の案内面５７の離間方向である。符号Ｄ３は、スライド方向他方側である近接方向を示している。符号Ｄ４は、排出部１７からの記録済媒体Ｒ４の排出方向である。図示の排出方向Ｄ４は離間方向Ｄ２と平行であるが、排出方向Ｄ４は離間方向Ｄ２と平行でなくてもよい。符号Ｄ７は、排出方向Ｄ４及び鉛直方向に直交する記録装置幅方向を示している。図１，３，６は、記録装置１を幅方向Ｄ７の外側から側面視した図である。
【００１８】
なお、分かり易く示すため、各図は整合していないことがある。
また、本明細書で説明する位置関係は、発明を説明するための例示に過ぎず、発明を限定するものではない。従って、筐体の下以外の位置、例えば、上、左、右、といった位置に給紙ユニットが配置されることなども、本発明に含まれる。
さらに、方向や位置等の同一、直交、等は、厳密な同一、直交、等のみを意味するのではなく、製造時等に生じる誤差も含む。
【００１９】
上述した図に示す記録装置１は、筐体１０、該筐体１０を支持する脚部４０、筐体１０の排出部１７から排出される記録済媒体Ｒ４を受けるスタッカー５０、を備えている。スタッカー５０は、排出された記録済媒体Ｒ４の先端部Ｒ５を排出部１７の下側で記録済媒体Ｒ４の排出方向Ｄ４とは反対側（近接方向Ｄ３側）へ案内する案内面５７を有し、該案内面５７を排出部１７に対して離間可能に構成されている。例えば、図１の上段に示すようにスタッカー５０を脚部４０に対して離間方向Ｄ２側のスライド位置に固定すると、比較的長い記録済媒体を良好にスタックすることができる。また、図１の下段に示すようにスタッカー５０を脚部４０に対して近接方向Ｄ３側のスライド位置に固定すると、比較的短い記録済媒体を良好にスタックすることができる。本記録装置１は、記録済媒体の先端部Ｒ５を近接方向Ｄ３側へ案内する案内面５７が離間方向Ｄ２及び近接方向Ｄ３にスライド移動する特徴を有する。
【００２０】
なお、上述した図に示す記録装置１は、筐体１０の下部に給紙ユニット３０がスライド可能に設けられ、装置上部奥の第一ロール紙Ｒ１と装置下部の第二ロール紙Ｒ２とを切り替えて印刷する（記録を行う）ことが可能である。ロール紙は、被記録媒体をロール状に巻いた連続紙である。両ロール紙Ｒ１，Ｒ２は、外側が印刷面とされている。むろん、繰り出し機構２１，３１の位置を変えると、内側が印刷面とされたロール紙も使用可能である。ロール紙には、紙、布、プラスチック被記録媒体、皮革、等、種々の材質の巻回被記録媒体を使用することができる。
また、図示していないが、記録装置１は、手差しスロットからカット紙を挿入して印刷し、該印刷されたカット紙を短い記録済媒体Ｒ４として排出部１７から排出してスタッカー５０にスタックすることもできる。
【００２１】
図３に示すように、給紙ユニット３０を有する筐体１０は、制御部１１、記録部１２、搬送ローラー対（１５，１６）、排出部１７、カッター１８、第一ロール紙用の媒体経路２０及び給紙機構（２１〜２５）、第二ロール紙用の第一媒体経路２６及び第二媒体経路３６並びに給紙機構（２７，２８，３１〜３３，３７）、等を備えている。給紙ユニット３０は、近接方向Ｄ３側の収容位置Ｌ１と離間方向Ｄ２側の引出位置との間でスライド可能であり、制御部１１と電気的に接続されている。給紙ユニット３０は、記録部１２に搬送される被記録媒体Ｒ３を支持する媒体支持部であり、筐体１０の下部に設けられている。
【００２２】
制御部１１は、ＣＰＵ（Central Processing Unit）、ＲＯＭ（Read Only Memory）、ＲＡＭ（Random Access Memory）等を有し、外部のホスト装置から記録出力の指令を受け取って被記録媒体状の被記録媒体に印刷する等、記録装置１の各部の動作を制御する。印刷対象の被記録媒体は、ロール紙Ｒ１，Ｒ２の一方から引き出された部分であり、第二ロール紙Ｒ２の場合には連続した被記録媒体Ｒ３である。
記録部１２は、記録ヘッド１３とプラテン１４を有している。記録ヘッド１３は、プラテン１４と対向する上側に配置され、インクを被記録媒体に対して吐出して記録可能である。プラテン１４は、被記録媒体を支持し、被記録媒体と記録ヘッド１３との間を所定の距離にする。
【００２３】
搬送ローラー対（１５，１６）は、下側に配置された駆動ローラー１５と、上側に配置された従動ローラー１６とを備える。従動ローラー１６は、駆動ローラー１５から離間可能であり、近接時に駆動ローラー１５とで被記録媒体を挟持する。
排出部１７から送り出される被記録媒体は、カッター１８で切断されて搬送ローラー対（１５，１６）の挟持から解放されると、スタッカー５０にスタックされる。
【００２４】
第一ロール紙用の給紙機構は、第一ロール紙Ｒ１を支持する繰り出し機構２１、給紙ローラー対（２２，２３）、コロローラー（従動ローラー）２４，２５、等を備えている。給紙ローラー対（２２，２３）は、媒体経路２０の外周側に配置された駆動ローラー２２と、媒体経路２０の内周側に配置された従動ローラー２３とを備える。従動ローラー２３は、駆動ローラー２２から離間可能であり、近接時に駆動ローラー２２とで被記録媒体を挟持する。
繰り出し機構２１に装着した新たな第一ロール紙Ｒ１の給紙時、ユーザーは、まず、給紙ローラー対（２２，２３）の間にロール紙Ｒ１の先端部を入れることになる。その後、繰り出し機構２１がロール紙Ｒ１を繰り出すとともに繰り出された被記録媒体を給紙ローラー対（２２，２３）が挟持して搬送ローラー対（１５，１６）の方へ搬送し、搬送ローラー対（１５，１６）が被記録媒体を挟持する。印刷時には、搬送ローラー対（１５，１６）が被記録媒体をプラテン１４上に搬送し、記録ヘッド１３がインクを吐出して被記録媒体に記録を行う。
【００２５】
第二ロール紙用の給紙機構は、第二ロール紙Ｒ２を支持する繰り出し機構３１、給紙ローラー対（３２，３３）、コロローラー（従動ローラー）２７，２８，３７、等を備えている。給紙ローラー対（３２，３３）は、第二媒体経路３６の内周側に配置された駆動ローラー３２と、第二媒体経路３６の外周側に配置された従動ローラー３３とを備える。従動ローラー３３は、駆動ローラー３２から離間可能であり、近接時に駆動ローラー３２とで被記録媒体Ｒ３を挟持する。
【００２６】
繰り出し機構３１に装着した新たな第二ロール紙Ｒ２の給紙時、ユーザーは、まず、給紙ローラー対（３２，３３）の間にロール紙Ｒ２の先端部Ｒ５を入れることになる。その後、繰り出し機構３１がロール紙Ｒ２を繰り出すとともに繰り出された被記録媒体Ｒ３を第二媒体経路３６内の給紙ローラー対（３２，３３）が挟持して第一媒体経路２６の方へ搬送する。そして、第一媒体経路２６を通り過ぎて搬送ローラー対（１５，１６）の間に搬送された被記録媒体Ｒ３を搬送ローラー対（１５，１６）が挟持する。その後、給紙ローラー対（３２，３３）は被記録媒体Ｒ３を挟持から解放してもよい。印刷時（記録時）には、搬送ローラー対（１５，１６）が被記録媒体Ｒ３をプラテン１４上に搬送し、記録ヘッド１３がインクを吐出して被記録媒体Ｒ３に記録を行う。一連の動作は、制御部１１が制御する。
【００２７】
なお、ローラー対を構成する駆動ローラー及び従動ローラーは、上述した位置関係の逆の配置でもよい。また、従動ローラーの代わりに駆動ローラーを用いてローラー対を一対の駆動ローラーで構成してもよい。
【００２８】
脚部４０は、長尺部４１、延出部４２及びキャスター４３，４３を記録装置１の幅方向Ｄ７の両端部分にそれぞれ有し、筐体１０を支持する。各長尺部４１の長手方向は、図１〜４に示すように、スタッカー５０のスライド方向に向けられている。各延出部４２は、長尺部４１の略中間位置から筐体１０まで上方へ延出している。前記キャスター４３，４３は、各長尺部４１におけるスライド方向Ｄ１の両端部に取り付けられている。
【００２９】
各長尺部４１の幅方向Ｄ７の内側面には、スタッカー５０のスライド方向Ｄ１に向いたレール４５が取り付けられている。図５に示すように、各レール４５は、長尺部４１に接する基部４５ｂ、該基部４５ｂの上下の縁部から幅方向Ｄ７の内側へ延出した延出部４５ｃ，４５ｄ、該延出部４５ｃ，４５ｄの先端縁部から互いに近接する方向へ延出した折返し部４５ｅ，４５ｆ、を有している。これらの各部４５ｂ〜４５ｆで囲まれた部分は、折返し部４５ｅ，４５ｆが開口した溝４５ａとされている。
【００３０】
スタッカー（媒体受け部）５０は、枠部５１、回動スライド機構５２，５２、シート部材５６、を有し、排出部１７から排出される記録済媒体Ｒ４を受ける。
図５に示すように、枠部５１は、幅方向Ｄ７の両側部分に配置された側部５１ａ，５１ｂ、該側部５１ａ，５１ｂの回転軸５４と反対側の端部を連結する支持部５１ｃ、側部５１ａ，５１ｂの回転軸５４近傍を連結する支持部５１ｄ、を有している。側部５１ａ，５１ｂは、長手方向を幅方向Ｄ７に略直交する方向に向けた棒状又は筒状の部材であり、回転軸５４を中心として回動可能とされている。支持部５１ｃ，５１ｄは、長手方向を幅方向Ｄ７に向けた棒状又は筒状の部材である。
【００３１】
各回動スライド機構５２は、スライダー５３、回転軸５４、保持機構５５、を有し、上記側部５１ａ，５１ｂの角度を維持しながらレール４５に沿ってスライド可能とされている。スライダー５３は、レール４５の溝４５ａに対して回転しないように挿入され、この溝４５ａに案内されて離間方向Ｄ２及び近接方向Ｄ３へスライド移動する。回転軸５４は、スライダー５３に対して側部５１ａ，５１ｂを回転させる部位であり、スタッカー５０の回動の中心軸となる。保持機構５５は、スライダー５３に対する側部５１ａ，５１ｂの回動位置を保持可能であり、ユーザーの操作に応じて側部５１ａ，５１ｂの回動位置を保持したり該保持を解除したりすることが可能である。
以上により、スタッカー５０は、レール４５に対して記録済媒体Ｒ４の排出側（離間方向Ｄ２）、及び、その反対側（近接方向Ｄ３）へスライド可能に取り付けられ、脚部４０への取り付け位置を中心軸として回動可能とされている。
【００３２】
シート部材５６は、布、ビニール、等の柔軟なシート状の部材で形成され、背面側が被記録媒体の先端部Ｒ５を案内する案内面５７とされている。すなわち、案内面５７は、シート部材５６で構成され、図１，３に示すように、排出部１７から排出された被記録媒体の先端部Ｒ５を排出部１７の下側で近接方向Ｄ３側へ案内する。この案内方向におけるシート部材５６の上流側及び下流側の縁部５６ａ，５６ｂは、それぞれ、支持部５１ｃ，５１ｄに支持されている。例えば、支持部５１ｃ，５１ｄを通すことができるように縁部５６ａ，５６ｂを折り返して被挿通部を形成し、該被挿通部に支持部５１ｃ，５１ｄを挿入することにより、支持部５１ｃ，５１ｄで縁部５６ａ，５６ｂを支持することができる。また、縁部５６ａ，５６ｂを挿入することができるように支持部５１ｃ，５１ｄに溝を形成し、該溝に縁部５６ａ，５６ｂを挿入することによっても、支持部５１ｃ，５１ｄで縁部５６ａ，５６ｂを支持することができる。
以上により、シート部材５６が枠部５１に取り付けられる。
【００３３】
図１〜４に示すように、柔軟なシート部材５６には、排出部１７の下側において下側に凸とされた弛み部５８が形成されている。弛み部５８の背面側は、案内面５７である。この案内面５７の弛み形状により、記録済媒体Ｒ４の先端部Ｒ５が円滑に近接方向Ｄ３側へ案内される。また、弛み部５８を有するシート部材５６が枠部５１に取り付けられ、この枠部５１が脚部４０に対して離間方向Ｄ２及び近接方向Ｄ３へスライド可能に設けられているので、スタッカー５０をスライド移動させても案内面５７の弛み形状が維持される。
【００３４】
なお、図６（ａ）に示すように、回動スライド機構５２は、枠部５１をスライド方向Ｄ１に沿った向きに回動させることができ、この向きを保持した状態で枠部５１を近接方向Ｄ３へスライド移動させることが可能である。すなわち、スタッカー５０は、自らのスライド方向Ｄ１に沿った向きで収容位置Ｌ１の給紙ユニット３０（筐体１０）の下方に移動可能であり、給紙ユニット３０の下方位置に収納可能である。ここで、記録済媒体Ｒ４のスタック時にスタッカー５０は給紙ユニット３０よりも記録済媒体Ｒ４の排出側（排出方向Ｄ４側）にあり、この状態のスタッカー５０が離間方向Ｄ２側へ回動して自らのスライド方向Ｄ１に沿った向きで収容位置の給紙ユニット３０の下方に移動可能である。
なお、上述したスライド方向Ｄ１に沿った向きは、スライド方向Ｄ１に一致した向きに限定されず、案内面５７が記録済媒体Ｒ４の先端部Ｒ５を案内するときの枠部５１の向きよりもスライド方向Ｄ１に近い向きでもよく、スライド方向Ｄ１から所定範囲内（例えば１５°以内）でずれた向きを含む。
【００３５】
また、図６（ｂ）に示すように、回動スライド機構５２は、枠部５１をより近接方向Ｄ３側に回動させることも可能である。すなわち、スタッカー５０は、給紙ユニット３０の引出側（離間方向Ｄ２側）を塞ぐ位置にスライド可能及び回動可能である。
【００３６】
ところで、比較的長い記録済媒体をスタックする場合、図１の上段に示すようにスタッカー５０が離間方向Ｄ２側にあれば、スタッカー５０内で記録済媒体Ｒ４が畳まれて良好にスタックされる。しかし、排出部１７から排出される記録済媒体には、長いものもあれば短いものもある。ここで、図７（ａ）に示すように長い記録済媒体に対応したスタッカー９５１を排出部１７側へスライドさせることができない比較例の記録装置９０１と比較する。比較的短い記録済媒体Ｒ９１は、巻き癖のため丸まり易いため、排出部１７から排出されると、スタッカー９５１内で丸まってしまう。このため、短い記録済媒体Ｒ９１はスタックする枚数が限られ、また、下の方の記録済媒体Ｒ９１は潰されて折れてしまうことがある。
【００３７】
一方、比較的短い記録済媒体をスタックする場合、図１の下段に示すようにスタッカー５０が近接方向Ｄ３側にあれば、排出部１７から排出される記録済媒体Ｒ４は、例えば、スタッカー５０のシート部材５６の上流側縁部５６ａに引っ掛かるなどして良好にスタックされる。これは、記録済媒体Ｒ４の先端部Ｒ５が案内面５７に沿って近接方向Ｄ３側に案内され、記録済媒体Ｒ４の後端部Ｒ６は排出部１７から出たときに離間方向Ｄ２側に移動するためである。ここで、図７（ｂ）に示すように短い記録済媒体に対応したスタッカー９５２を排出部１７とは反対側へスライドさせることができない比較例の記録装置９０２と比較する。比較的長い記録済媒体Ｒ９２は、排出部１７から排出されると、スタッカー９５２内に入りきらず、スタッカー９５２からはみ出してしまう。
【００３８】
なお、特開平7-61681号公報に記載の記録済記録媒体受けは、記録済記録媒体が落下してスタックされるだけの構造である。従って、短い記録済記録媒体の場合、記録済記録媒体が丸まった状態でスタックされる等、所望の形態で記録済記録媒体をスタックできない虞がある。
本記録装置１は、案内面５７を有するスタッカー５０が離間方向Ｄ２及び近接方向Ｄ３へスライド可能に設けられているので、上述した不都合を解消することが可能である。
【００３９】
次に、図１〜６を参照して、記録装置１の作用及び効果を説明する。
排出部１７から記録済媒体Ｒ４が排出されると、この記録済媒体Ｒ４の先端部Ｒ５は、排出部１７の下側で案内面５７により下方向から記録済媒体Ｒ４の排出方向Ｄ４とは反対側の近接方向Ｄ３側にずれた方向へ案内される。
【００４０】
ここで、記録済媒体Ｒ４が比較的長い場合、図１の上段に示すようにスタッカー５０を離間方向Ｄ２側にスライドさせておけばよい。この場合、スタッカー５０内がスライド方向Ｄ１に広いので、記録済媒体Ｒ４は、スタッカー５０からはみ出ず、スタッカー５０内でスライド方向Ｄ１に繰り返し折り返すように畳まれて良好にスタックされる。
また、記録済媒体Ｒ４が比較的短い場合、図１の下段に示すようにスタッカー５０を近接方向Ｄ３側にスライドさせておけばよい。この場合、排出部１７から排出される記録済媒体Ｒ４は、先端部Ｒ５が案内面５７に沿って下方向から近接方向Ｄ３側にずれた方向へ案内され、後端部Ｒ６が排出部１７から出たときに該後端部Ｒ６が離間方向Ｄ２側に移動し、シート部材５６の上流側縁部５６ａに引っ掛かる。短い記録済媒体Ｒ４が繰り返し排出されると、シート部材の上流側縁部５６ａに引っ掛かる複数の記録済媒体Ｒ４は、スタッカー５０内の下部で先端部Ｒ５が揃い、シート部材の上流側縁部５６ａに垂れ下がった状態で後端部Ｒ６が揃う。従って、複数の記録済媒体Ｒ４は、スタッカー５０内で丸まらず、好適にスタックされる。
【００４１】
以上より、本記録装置１は、長い記録済媒体Ｒ４と短い記録済媒体Ｒ４の両方を好適にスタック可能である。
【００４２】
また、脚部４０に設けられたレール４５に対してスタッカー５０が離間方向Ｄ２及び近接方向Ｄ３へスライド可能に取り付けられているので、脚部４０に対するスタッカー５０のスライド移動に従って案内面５７が離間方向Ｄ２及び近接方向Ｄ３へスライド移動する。従って、本記録装置１は、レール４５という簡便な構成で排出部１７の下側で案内面５７をスライド移動させることが可能であり、長短両方の記録済媒体を好適にスタック可能である。
【００４３】
さらに、スライド可能に設けられた枠部５１にシート部材５６が取り付けられ、このシート部材５６により案内面５７となる弛み部５８が排出部１７の下側に形成されるので、スタッカー５０がスライド移動しても弛み部５８の形状が維持される。従って、本記録装置１は、媒体受け部（５０）をスライド移動させても案内面５７の良好な弛み形状を維持することが可能な利便性の良い装置である。
【００４４】
さらに、スタッカー５０は、図６（ａ）に示すように、脚部４０への取り付け位置を中心軸として自らのスライド方向Ｄ１に沿った向きに回動し、この向きで筐体１０の下方に移動可能である。従って、本記録装置１は、媒体受け部（５０）を使用しないときにコンパクトに収納可能である。
また、筐体１０の下部の給紙ユニット３０よりも排出方向Ｄ４側にスタッカー５０があり、このスタッカー５０が回動して自らのスライド方向Ｄ１に沿った向きで筐体１０の下方に移動可能である。給紙ユニット３０に支持されるロール紙（被記録媒体）Ｒ２にアクセスするとき、スタッカー５０を自らのスライド方向Ｄ１に沿った向きに回動して筐体１０の下方に収納し、給紙ユニット３０を引き出せばよい。従って、本記録装置１は、媒体支持部（３０）に支持される被記録媒体（Ｒ２）へのアクセスが良く、大量記録が可能になる。
【００４５】
以上の他、図１の上段に示す離間方向Ｄ２側のスライド位置でスタッカー５０を近接方向Ｄ３側に回動させると、図６（ｂ）に示すように給紙ユニット３０の引出側を塞ぐことができる。従って、本記録装置１は、非使用時の外観が良好であり、スタッカー５０のスライド位置及び回動位置に応じた様々な使用が可能な利便性の良い装置である。
【００４６】
なお、本発明は、種々の変形例が考えられる。
例えば、本発明を適用可能な被記録媒体は、ロール紙以外にも、折り畳んだ連続紙、等でもよい。
記録装置は、複数の被記録媒体を切り替えて記録を行う装置以外にも、一つの被記録媒体に記録を行う装置でもよい。
【００４７】
媒体受け部は、上述したように回動させることができると種々の使用が可能であるため好適であるものの、案内面が排出部に対して離間可能であれば回動させることができなくても長短両方の記録済媒体を好適にスタック可能な効果が得られる。
また、案内面が弛み部を形成するシート部材で構成されると記録済媒体の先端部が円滑に記録済媒体の排出側とは反対側へ案内されるので好適であるものの、弛み部が無くても案内面があれば長短両方の記録済媒体を好適にスタック可能な効果が得られる。
さらに、上述したレールが筐体下方の脚部に設けられると筐体下方の空間を記録済媒体のスタック空間として利用することができるので好適であるものの、レールが筐体に設けられても案内面が排出部に対して離間可能であれば長短両方の記録済媒体を好適にスタック可能な効果が得られる。むろん、媒体受け部をスライド可能にする手段には、上記レール以外にも、例えば、長尺な筒状部材に棒状部材を挿入する構造等、種々の手段を採用することができる。
【００４８】
以上説明したように、本発明によると、種々の態様により、長い記録済媒体と短い記録済媒体の両方を好適にスタック可能な技術等を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００４９】
１…記録装置、１０…筐体、１２…記録部、１７…排出部、１８…カッター、３０…給紙ユニット（媒体支持部）、４０…脚部、４１…長尺部、４２…延出部、４３…キャスター、４５…レール、５０…スタッカー（媒体受け部）、５１…枠部、５１ａ，５１ｂ…側部、５１ｃ，５１ｄ…支持部、５２…回動スライド機構、５３…スライダー、５４…回転軸（中心軸）、５５…保持機構、５６…シート部材、５６ａ，５６ｂ…縁部、５７…案内面、５８…弛み部、Ｄ１…スライド方向、Ｄ２…離間方向（スライド方向一方側）、Ｄ３…近接方向（スライド方向他方側）、Ｄ４…排出方向、Ｄ７…幅方向、Ｌ１…収容位置、Ｒ１，Ｒ２…ロール紙、Ｒ３…被記録媒体、Ｒ４…記録済媒体、Ｒ５…先端部、Ｒ６…後端部。
【図１】
2014189344.tif 000003
【図２】
2014189344.tif 000004
【図３】
2014189344.tif 000005
【図４】
2014189344.tif 000006
【図５】
2014189344.tif 000007
【図６】
2014189344.tif 000008
【図７】
2014189344.tif 000009